(57)【特許請求の範囲】
【請求項１】
本体に取り付けられた部品取付具に設けた係合部と、部品に設けた係合孔部とからなる係止構造であって、
前記係合部は、
前記本体から離れる方向に植設された中空円錐台形状のストッパ部と、
前記ストッパ部と連続し、当該ストッパ部の小径と同径の外径を有する円筒形状の嵌合部と、
前記嵌合部の開放端の外周部の全周に亘って形成された断面が半円状の突起と、
を備え、
前記突起と前記嵌合部と前記ストッパ部の所定部分までは、前記嵌合部の軸方向に所定数の切り込みが等間隔に設けられており、
前記係合孔部は、
前記ストッパ部と同一形状の第１の孔部と、
前記第１の孔部に連続し、前記嵌合部の外径と同一の内径及び長さを有し、前記第１の孔部と反対側の端部に面取り部を有する第２の孔部と、
を備え、
前記係合部が前記係合孔部に挿入されたとき、当該係合部は、前記突起が当該係合孔部の前記第１の孔部でガイドされて弾性変形し、当該突起が前記第２の孔部の前記面取り部に係止する
ことを特徴とする係止構造。
【請求項２】
一端側が本体に取り付けられ、他端側に係合部が設けられた部品取付具であって、当該係合部が部品に設けた係合孔部に挿入されて係止されることにより、当該本体に対して当該部品を取り付けるようにした部品取付具において、
前記係合部は、
前記本体から離れる方向に植設された中空円錐台形状のストッパ部と、
前記ストッパ部と連続し、当該ストッパ部の小径と同径の外径を有する円筒形状の嵌合部と、
前記嵌合部の開放端の外周部の全周に亘って形成された断面が半円状の突起と、
を備え、
前記突起と前記嵌合部と前記ストッパ部の所定部分までは、当該嵌合部の軸方向に所定数の切り込みが等間隔に設けられており、
前記係合孔部は、前記ストッパ部と同一形状の第１の孔部と、当該第１の孔部に連続し、前記嵌合部の外径と同一の内径及び長さを有し、前記第１の孔部と反対側の端部に面取り部を有する第２の孔部とを備えており、
前記係合部が前記係合孔部に挿入されたとき、当該係合部は、前記突起が当該係合孔部の前記第１の孔部でガイドされて弾性変形し、当該突起が前記第２の孔部の前記面取り部に係止する
ことを特徴とする部品取付具。
【発明の詳細な説明】
【０００１】
【発明の属する技術分野】
本発明は、本体に対して部品を取り付けるための係止構造及び部品取付具に関するものである。
【０００２】
【従来の技術】
従来、本体に対して部品を取り付けるための部品取付具としては、ネジが多用されている。しかし、一般的には複数本のネジが必要となるため、部品点数が多くなり、ネジ止め工数も上昇するという欠点がある。そこで、専用の部品取付具が用いられるようになってきている。
図５（Ａ）、（Ｂ）及び図６（Ａ）、（Ｂ）は、従来の部品取付具の一例を示す一部断面側面図及び平面図である。
この部品取付具は、図５に示す本体側に取り付けられるストライク２０と、図６に示す部品側に取り付けられるラッチ３０の２個の部品で構成されている。
【０００３】
ストライク２０は、円盤状のフランジ２１の一方の側に、フランジ２１の外径より小径の外径を有する略円柱状のラッチ用凸部２２が一体的に設けられ、フランジ２１の他方の側に、フランジ２１の外径より小径の外径を有する略円筒状の本体用凸部２３が一体的に設けられている。
ラッチ用凸部２２は、先端部が球状に形成されている。本体用凸部２３は、外周部の全周にわたって断面が三角形状の突起部２３ａが軸方向に複数列（この例では３列）形成されている。
【０００４】
ラッチ３０は、リング状のフランジ３１の一方の側に、フランジ３１の外径より小径の外径を有する略円筒状の部品用凸部３２が一体的に設けられ、さらに部品用凸部３２の内部に、ストライク２０のラッチ用凸部２２の先端部の径より小径の最小内径を有し、かつラッチ用凸部２２の高さより低い略中空円錐台形状のストライク用凸部３３が一体的に設けられている。
部品用凸部３２は、外周部の途中から開放端にかけて略三角錐状の突起部３２ａが等角度間隔（この例では６０度間隔）で形成されている。ストライク用凸部３３は、固定端から開放端にかけて切り込み３３ａが等角度間隔（この例では１２０度間隔）で形成されている。
【０００５】
このような構成のストライク２０とラッチ３０で成る部品取付具を用いて、例えばテレビの筐体にスピーカグリルを取り付ける場合について図７を参照して説明する。
ここで、テレビの筐体４０のスピーカグリル５０の取付部には、ストライク２０の本体用凸部２３に形成されている突起部２３ａの外径より小径であって、本体用凸部２３の最小外径より大径の内径を有する孔４１が、予め設けられている。さらに、スピーカグリル５０には、ラッチ３０の部品用凸部３２に形成されている突起部３２ａの最大外径より小径であって、部品用凸部３２の最小外径と略同径の内径を有する孔５１が、予め設けられている。
【０００６】
先ず、ストライク２０の本体用凸部２３をテレビの筐体４０に設けられている孔４１に合わせ、ストライク２０のフランジ２１の端面が孔４１の壁端面に接触するまで本体用凸部２３を孔４１内に圧入する。これにより本体用凸部２３に形成されている突起部２３ａが、孔４１内で弾性変形して孔４１の内壁に摩擦係合するので、ストライク２０はテレビの筐体４０から外れ難くなる。
一方、ラッチ３０の部品用凸部３２をスピーカグリル５０に設けられている孔５１に合わせ、ラッチ３０のフランジ３１の端面が孔５１の壁端面に接触するまで部品用凸部３２を孔５１内に圧入する。これにより部品用凸部３２に形成されている突起部３２ａが、孔５１内で一旦弾性変形した後に孔５１外で復元し、孔５１の壁端面に引っ掛かるので、ラッチ３０はスピーカグリル５０から外れ難くなる。
【０００７】
次に、ストライク２０のラッチ用凸部２２をラッチ３０のストライク用凸部３３の内部に挿入し、ラッチ用凸部２２の先端部近傍のくびれ部がストライク用凸部３３の先端部に接触するまでラッチ用凸部２２をストライク用凸部３３内に圧入する。これによりストライク用凸部３３が、ラッチ用凸部２２の先端部で一旦弾性変形した後にくびれ部で復元してくびれ部に引っ掛かるので、ストライク２０はラッチ３０から外れ難くなる。以上により、スピーカグリル５０をテレビの筐体４０に取り付けることができる。
【０００８】
【発明が解決しようとする課題】
上述した従来の部品取付具は、２個の部品、即ちストライク２０とラッチ３０で構成されているため、部品点数が増加し、取付工数が上昇するという欠点があった。また、従来の部品取付具では、ストライク２０のラッチ用凸部２２の先端球状部分によりテレビの筐体４０とスピーカグリル５０との間をロックするように構成されていたため、ロック部の面積が広くとれず、その締結力が低くなるという欠点があった。
【０００９】
さらに、従来の部品取付具に衝撃が加わった場合、ロック部の面積が狭いため、そこに衝撃力が集中し、ストライク２０のラッチ用凸部２２が破損する確率が高くなるという欠点があった。また、従来の部品取付具では、テレビの筐体４０とスピーカグリル５０との相対取付位置がばらついた場合、ストライク２０とラッチ３０の相互の位置もばらつくため、上記締結力が急激に低下するので、例えばテレビを搬送中にスピーカグリル５０が筐体４０から脱落するおそれがあった。
【００１０】
本発明は、上述した事情から成されたものであり、簡易な構造であって、締結力が高く、破損や脱落の危険性が低い係止構造及び部品取付具を提供することを目的とする。
【００１１】
【課題を解決するための手段】
上記目的は、本発明の係止構造にあっては、本体に取り付けられた部品取付具に設けた係合部と、部品に設けた係合孔部とからなる係止構造であって、係合部は、本体から離れる方向に植設された中空円錐台形状のストッパ部と、このストッパ部と連続し、当該ストッパ部の小径と同径の外径を有する円筒形状の嵌合部と、この嵌合部の開放端の外周部の全周に亘って形成された断面が半円状の突起と、を備えている。更に、この係合部は、突起と嵌合部とストッパ部の所定部分までは、嵌合部の軸方向に所定数の切り込みが等間隔に設けられている。係合孔部は、ストッパ部と同一形状の第１の孔部と、第１の孔部に連続し、嵌合部の外径と略同一の内径及び長さを有し、第１の孔部と反対側の端部に面取り部を有する第２の孔部と、を備えている。そして、係合部が係合孔部に挿入されたとき、当該係合部は、突起が当該係合孔部の第１の孔部でガイドされて弾性変形し、当該突起が第２の孔部の面取り部に係止することにより達成される。
また、上記目的は、本発明の部品取付具にあっては、一端側が本体に取り付けられ、他端側に係合部が設けられた部品取付具であって、当該係合部が部品に設けた係合孔部に挿入されて係止されることにより、当該本体に対して当該部品を取り付けるようにした部品取付具において、係合部は、本体から離れる方向に植設された中空円錐台形状のストッパ部と、ストッパ部と連続し、当該ストッパ部の小径と同径の外径を有する円筒形状の嵌合部と、嵌合部の開放端の外周部の全周に亘って形成された断面が半円状の突起と、を備えている。更に、この係合部は、突起と嵌合部と前記ストッパ部の所定部分までは、当該嵌合部の軸方向に所定数の切り込みが等間隔に設けられている。係合孔部は、ストッパ部と同一形状の第１の孔部と、当該第１の孔部に連続し、嵌合部の外径と略同一の内径及び長さを有し、第１の孔部と反対側の端部に面取り部を有する第２の孔部とを備えており、係合部が係合孔部に挿入されたとき、当該係合部は、突起が当該係合孔部の第１の孔部でガイドされて弾性変形し、当該突起が第２の孔部の面取り部に係止することにより達成される。
【００１２】
上記構成によれば、一体的に形成された凸部に設けられている突起により部品と本体とを取り付けるようにしているので、構造を簡易にすることができると共に、締結力を高めることができる。
【００１３】
【発明の実施の形態】
以下、本発明の好適な実施形態を添付図面に基づいて詳細に説明する。
なお、以下に述べる実施形態は、本発明の好適な具体例であるから、技術的に好ましい種々の限定が付されているが、本発明の範囲は、以下の説明において、特に本発明を限定する旨の記載がない限り、これらの形態に限られるものではない。
【００１４】
図１（Ａ）、（Ｂ）、（Ｃ）は、本発明の部品取付具の実施形態を示す側面図、平面図及び一部断面側面図である。
この部品取付具１０は、１個の部品で構成されており、リング状のフランジ１１の一方の側に、フランジ１１の外径より小径の外径を有する略円筒状の本体用凸部１２が一体的に設けられ、フランジ１１の他方の側に、フランジ１１の外径より小径の外径を有する略中空円錐台形状のストッパ部１３及びこのストッパ部１３と連続し、ストッパ部１３の小径と同径の外径を有する略円筒形状の嵌合部１４で成る係合部である部品用凸部１５が一体的に設けられている。
【００１５】
本体用凸部１２は、外周部の全周にわたって断面が三角形状の突起部１２ａが軸方向に複数列（この例では６列）形成されている。部品用凸部１５は、ストッパ部１３の途中から嵌合部１４の開放端にかけて切り込み１５ａが等角度間隔（この例では１２０度間隔）で形成されていると共に、嵌合部１４の開放端の外周部の全周にわたって断面が半円形状の突起１５ｂが形成されている。
【００１６】
このような構成の部品取付具１０を用いて、例えばテレビの筐体にスピーカグリルを取り付ける場合について図２を参照して説明する。
ここで、テレビの筐体４０のスピーカグリル５０の取付部には、部品取付具１０の本体用凸部１２に形成されている突起部１２ａの外径より小径であって、本体用凸部１２の最小外径より大径の内径を有する孔４２が、予め設けられている。さらに、スピーカグリル５０には、図３に示すように、部品取付具１０の部品用凸部１５のストッパ部１３と略同形の第１の孔である孔５２ａ及びこの孔５２ａに連続し、嵌合部１４の最小外径と略同径の内径を有する第２の孔である孔５２ｂで成る係合孔部である孔５２が、予め設けられている。
【００１７】
先ず、部品取付具１０の本体用凸部１２をテレビの筐体４０に設けられている孔４２に合わせ、部品取付具１０のフランジ１１の端面が孔４２の壁端面に接触するまで本体用凸部１２を孔４２内に圧入する。これにより本体用凸部１２に形成されている突起部１２ａが、孔４２内で弾性変形して孔４２の内壁に摩擦係合するので、部品取付具１０はテレビの筐体４０から外れ難くなる。尚、このとき、孔４２内に接着剤を流し込んで部品取付具１０を固定するようにしても良い。
【００１８】
次に、部品取付具１０の部品用凸部１５をスピーカグリル５０に設けられている孔５２の内部に挿入し、部品用凸部１５のストッパ部１３の外周部が孔５２ａの内周部に接触するまで部品用凸部１５を孔５２内に圧入する。これにより部品用凸部１５の嵌合部１４は、孔５２ｂ内で一旦弾性変形した後に、嵌合部１４に形成されている突起１５ｂが孔５２ｂ外に出たときに復元して孔５２ｂに嵌合すると共に、突起１５ｂが孔５２ｂの面取り部である壁端面に引っ掛かるので、部品取付具１０はスピーカグリル５０から外れ難くなる。以上により、スピーカグリル５０をテレビの筐体４０に取り付けることができる。
尚、スピーカグリル５０をテレビの筐体４０から取外す場合は、例えばマイナスのドライバを孔５２内に差し込んで回転させることにより、部品用凸部１５の嵌合部１４に形成されている突起１５ｂを孔５２ｂの壁端面から離すようにする。
【００１９】
図４（Ａ）、（Ｂ）は、本発明の部品取付具の別の実施形態を示す側面図及び平面図であり、図１に示す部品取付具と同一構成個所は同符号を付して説明を省略する。
この部品取付具１６は、図１の部品取付具１０と比較して、本体用凸部１２が設けられていない点及びフランジ１１に本体取付用ビス穴１７が設けられている点で異なる構成となっている。
【００２０】
このような構成の部品取付具１６を用いて、例えばテレビの筐体４０にスピーカグリル５０を取り付ける場合、テレビの筐体４０のスピーカグリルの取付部には、図２に示すような孔４２を予め設ける必要が無く、ビスを用いて部品取付具１６を予め取り付けておく。そして、図１の部品取付具１０と同様に、部品取付具１６の部品用凸部１５をスピーカグリル５０に設けられている孔５２の内部に挿入し、部品用凸部１５のストッパ部１３の外周部が孔５２ａの内周部に接触するまで部品用凸部１５を孔５２内に圧入する。これにより部品用凸部１５の嵌合部１４は、孔５２ｂ内で一旦弾性変形した後に、嵌合部１４に形成されている突起１５ｂが孔５２ｂ外に出たときに復元して孔５２ｂに嵌合すると共に、突起１５ｂが孔５２ｂの壁端面に引っ掛かるので、部品取付具１６はスピーカグリル５０から外れ難くなる。以上により、スピーカグリル５０をテレビの筐体４０に取り付けることができる。
【００２１】
従来の部品取付具がストライク２０とラッチ３０という２個の部品で構成されていたのに対し、本実施形態の部品取付具１０、１６は１個の部品で構成されているので、部品点数を減少させ、取付工数を低減させることができ、さらに、略円柱形状という単純な形状であるため、成形する上で金型にスライド部等の複雑な機構を必要としないので、製造コストを低減させることができる。
また、従来の部品取付具では、ストライク２０のラッチ用凸部２２の先端球状部分によりテレビの筐体４０とスピーカグリル５０との間をロックするように構成されていたため、ロック部の面積が広くとれず、その締結力が低かったが、本実施形態の部品取付具１０、１６では、部品用凸部１５の突起１５ｂの円周部分によりテレビの筐体４０とスピーカグリル５０との間をロックするように構成されているため、ロック部の面積を広くとることができ、その締結力を上昇させることができる。
【００２２】
さらに、従来の部品取付具に衝撃が加わった場合、ロック部の面積が狭いため、そこに衝撃力が集中し、ストライク２０のラッチ用凸部２２が破損する確率が高かったが、本実施形態の部品取付具１０、１６に衝撃が加わっても、ロック部の面積が広いため、衝撃力が分散されるので、破損を防止することができる。
また、従来の部品取付具では、テレビの筐体４０とスピーカグリル５０との相対取付位置がばらついた場合、ストライク２０とラッチ３０の相互の位置もばらつくため、上記締結力が急激に低下するので、例えばテレビを搬送中にスピーカグリル５０が筐体４０から脱落するおそれがあったが、本実施形態の部品取付具１０、１６では、部品用凸部１５が撓んで上記ばらつきを吸収し、さらに、上述したように締結力そのものが高いので、上記脱落を防止することができる。
また、本実施形態の部品取付具１０、１６にスピーカグリル５０を取り付ける際、クリック感やクリック音が発生するので、取付の確実性を高めることができる。
【００２３】
尚、上述した各実施形態では、部品取付具１０、１６の部品用凸部１５は、軸方向に切り込み１５ａが等角度間隔で形成されている円筒状の部材として構成されているが、これに限定されるものではなく、２個所以上の切り込みが形成できれば等角度間隔でなくても良く、また、断面が楕円形や多角形の筒状の部材として構成されていても良い。さらに、周上に配置され、外内周方向に弾性変形可能な複数の部材で構成されていても良い。
また、上述した各実施形態の部品取付具１０、１６は、テレビの筐体４０にスピーカグリル５０を取り付ける場合のみならず、例えば自動車の車内に内装部品を取り付ける場合等にも適用することができる。
【００２４】
【発明の効果】
以上のように、本発明によれば、簡易な構造にすることができると共に、締結力を高めることができ、破損や脱落を防止することが可能となる。
【図面の簡単な説明】
【図１】本発明の部品取付具の実施形態を示す側面図、平面図及び一部断面側面図。
【図２】図１の部品取付具の取付方法を示す断面側面図。
【図３】図１の部品取付具により取り付けられる本体の構造を示す断面側面図。
【図４】本発明の部品取付具の別の実施形態を示す側面図及び平面図。
【図５】従来の部品取付具の一例を示す一部断面側面図及び平面図。
【図６】従来の部品取付具の一例を示す一部断面側面図及び平面図。
【図７】図５及び図６の部品取付具の取付方法を示す断面側面図。
【符号の説明】
１０・・・部品取付具、１１・・・フランジ、１２・・・本体用凸部、１２ａ・・・突起部、１３・・・ストッパ部、１４・・・嵌合部、１５・・・部品用凸部、１５ａ・・・切り込み、１５ｂ・・・突起、４０・・・テレビの筐体、５０・・・スピーカグリル、４２、５２、５２ａ、５２ｂ・・・孔
【図１】
0003972458.tif 000002
【図２】
0003972458.tif 000003
【図３】
0003972458.tif 000004
【図４】
0003972458.tif 000005
【図５】
0003972458.tif 000006
【図６】
0003972458.tif 000007
【図７】
0003972458.tif 000008